(57)【要約】【課題】  簡易な構成で安定的に検出できるディジタル回路構成の垂直同期信号検出回路を提供する。【解決手段】  本発明の垂直同期信号検出回路は、（１）各水平走査ラインについて、垂直同期信号を含む水平走査ラインにおいて垂直同期信号が位置し、垂直同期信号を含まない水平走査ラインにおいて同期信号系の信号が一切位置しない水平方向の１又は複数の箇所の被検出信号の振幅を、垂直同期信号の振幅であるか否かを切り分けることができる閾値と比較する垂直同期箇所弁別手段と、（２）被検出信号が１水平走査ラインずれる毎に変化する、上記垂直同期箇所弁別手段の比較結果のパターンが所定のパターンか否かに基づいて、垂直同期信号を検出する垂直同期判定手段とを有する。【選択図】      図１
2005347805.tif 000002
【特許請求の範囲】
【請求項１】
ディジタル化された映像信号又は複合同期信号でなる被検出信号から垂直同期信号を検出する垂直同期信号検出回路において、
各水平走査ラインについて、垂直同期信号を含む水平走査ラインにおいて垂直同期信号が位置し、垂直同期信号を含まない水平走査ラインにおいて同期信号系の信号が一切位置しない水平方向の１又は複数の箇所の被検出信号の振幅を、垂直同期信号の振幅であるか否かを切り分けることができる閾値と比較する垂直同期箇所弁別手段と、
被検出信号が１水平走査ラインずれる毎に変化する、上記垂直同期箇所弁別手段の比較結果のパターンが所定のパターンか否かに基づいて、垂直同期信号を検出する垂直同期判定手段と
を有することを特徴とする垂直同期信号検出回路。
【請求項２】
上記垂直同期判定手段は、複数の水平走査ラインについての比較結果のパターンに基づいて、垂直同期信号を検出することを特徴とする請求項１に記載の垂直同期信号検出回路。
【請求項３】
上記垂直同期判定手段は、垂直同期信号を検出するための所定のパターンとして、垂直同期信号部分が安定している標準信号用のものと、垂直同期信号部分が安定していない可能性がある非標準信号用のものとを別個に有していることを特徴とする請求項１又は２に記載の垂直同期信号検出回路。
【発明の詳細な説明】
【技術分野】
【０００１】
本発明は垂直同期信号検出装置に関し、例えば、テレビジョン信号から垂直同期信号を検出する場合に適用し得るものである。
【背景技術】
【０００２】
アナログテレビジョン放送で使用されているテレビジョン信号を、テレビジョン受像機で表示させたりＶＴＲテープに記録させたりする際や、ディジタル化してＭＰＥＧ２に代表される符号化処理をしたりする際には、映像信号部分の水平方向及び垂直方向の開始タイミングを決定するために、テレビジョン信号から水平同期信号及び垂直同期信号を分離したり検出したりする必要がある。
【０００３】
従来では、非特許文献１に開示されているように、アナログ回路によって、まず、複合映像信号（テレビジョン信号）から複合同期信号を分離し、分離された複合同期信号を、積分回路を通過させた後、閾値と比較することにより、垂直同期信号の分離を行っている場合が多い。なお、垂直同期信号を分離できたことは、垂直同期信号を検出したことと同様である。
【０００４】
また、最近のディジタル技術の進展に伴い、全てのビデオ信号処理をディジタル回路で実行する方法が一般的になってきているが、その場合でも、アナログ回路をディジタル回路に置き換えることによって、ディジタル回路での積分回路やコンパレータを用いて垂直同期信号の分離や検出を行っている場合が多い。
【非特許文献１】日本放送協会編、「カラーテレビ受信技術」、日本放送出版協会刊（平成２年１２月増補版  １１１頁〜１１７頁）
【発明の開示】
【発明が解決しようとする課題】
【０００５】
しかしながら、ディジタル回路によって、垂直同期信号分離回路や垂直同期信号検出回路を構成するには、時定数の長い積分回路を多段のディジタルフィルタ等で実現する必要があり、言い換えると、多段のディジタルフィルタ等、大規模な回路が必要となる。また、家庭用ＶＴＲなどからの非標準ビデオ信号や、ノイズや歪みが多い入力ビデオ信号の場合には、垂直同期期間での積分が正常になされず、垂直同期信号分離回路や垂直同期信号検出回路が正しく動作しない恐れがある。
【０００６】
そのため、簡易な構成で安定的に動作する、ディジタル回路構成の垂直同期信号検出回路が望まれていた。
【課題を解決するための手段】
【０００７】
かかる課題を解決するため、本発明は、ディジタル化された映像信号又は複合同期信号でなる被検出信号から垂直同期信号を検出する垂直同期信号検出回路において、（１）各水平走査ラインについて、垂直同期信号を含む水平走査ラインにおいて垂直同期信号が位置し、垂直同期信号を含まない水平走査ラインにおいて同期信号系の信号が一切位置しない水平方向の１又は複数の箇所の被検出信号の振幅を、垂直同期信号の振幅であるか否かを切り分けることができる閾値と比較する垂直同期箇所弁別手段と、（２）被検出信号が１水平走査ラインずれる毎に変化する、上記垂直同期箇所弁別手段の比較結果のパターンが所定のパターンか否かに基づいて、垂直同期信号を検出する垂直同期判定手段とを有することを特徴とする。
【発明の効果】
【０００８】
本発明の垂直同期信号検出回路によれば、縦横領域の１又は複数箇所の振幅が、垂直同期信号を含む縦横領域の１又は複数箇所の振幅パターンに合致しているかに基づいて、垂直同期信号を検出しているので、簡易な構成で安定的に垂直同期信号を検出できる。
【発明を実施するための最良の形態】
【０００９】
（Ａ）第１の実施形態
以下、本発明による垂直同期信号検出回路を、アナログ映像信号が入力され、それに対応するディジタル映像データを出力する映像信号ディジタル化装置に適用した第１の実施形態を、図面を参照しながら詳述する。
【００１０】
図１は、第１の実施形態に係る映像信号ディジタル化装置の構成を示すブロック図である。
【００１１】
図１において、第１の実施形態に係る映像信号ディジタル化装置１は、アナログ／ディジタル（Ａ／Ｄ）変換器２、クロック抽出（ＣＬＫ抽出）器３、水平方向カウンタ４、水平方向カウンタリセット回路５、垂直方向カウンタ６、垂直方向カウンタリセット回路７及びディジタル映像データ生成器８を有する。なお、水平方向カウンタ４、水平方向カウンタリセット回路５及び垂直方向カウンタリセット回路７が、垂直同期信号検出回路を構成している。
【００１２】
第１の実施形態の場合、垂直方向カウンタリセット回路７は、第１及び第２の垂直同期ライン検出器１１及び２１と、第１及び第２の５ライン検出結果メモリ１２及び２２と、第１及び第２の垂直同期パターン検出器１３及び２３と、垂直同期判定器９とを有する。
【００１３】
クロック抽出器３は、入力されたアナログ映像信号（アナログ映像入力）からディジタル処理用のクロックを抽出するものである。クロック抽出器３は、例えば、入力されたアナログ映像信号からカラーバースト信号を分離し、分離したカラーバースト信号に対してＰＬＬ回路などを動作させて、カラーバースト周波数（３．５８ＭＨｚ）の４倍の周波数（１４．３ＭＨｚ）を有するクロックを形成するものである。
【００１４】
アナログ／ディジタル変換器２は、クロック抽出器３からのクロックに基づいて（図１では信号線は省略している）、入力されたアナログ映像信号をディジタル信号に変換するものである。
【００１５】
水平方向カウンタ４は、例えば、クロック抽出器３からのクロックが与えられる毎にカウントアップする、０〜９０９を巡回する巡回カウンタである。水平方向カウンタ４のカウント値は、１水平走査ラインでの位置を表すものとなっている。
【００１６】
水平方向カウンタリセット回路５は、アナログ／ディジタル変換器２からのディジタル信号に基づいて、水平同期信号を検出したときに、水平方向カウンタ４にリセット指令を与え、水平方向カウンタ４のカウント値を強制的に所定値にさせるものである。
【００１７】
垂直方向カウンタ６は、例えば、クロック抽出器３からのクロックに基づいて（なお、水平方向カウンタ４のカウント値を利用するようにしても良い）、水平走査ラインが次の水平走査ラインに移行する毎にカウントアップする、１〜５２５を巡回する巡回カウンタである。垂直方向カウンタ６のカウント値は、垂直方向の位置を表すものとなっている。
【００１８】
垂直方向カウンタリセット回路７は、後述するように、アナログ／ディジタル変換器２からのディジタル信号に基づいて、垂直同期信号を検出したときに、垂直方向カウンタ６にリセット指令を与え、垂直方向カウンタ６のカウント値を強制的に所定値にさせるものである。
【００１９】
ディジタル映像データ生成器８は、アナログ／ディジタル変換器２からのディジタル信号と、クロック抽出器３からのクロック（信号線は省略している）と、水平方向カウンタ４のカウント値と、垂直方向カウンタ６のカウント値などに基づいて、出力するディジタル映像データ（ディジタル映像出力）を形成するものである。
【００２０】
垂直方向カウンタリセット回路７の構成要素については、図２をも参照しながら、機能を説明する。
【００２１】
図２は、アナログ／ディジタル変換器２からのディジタル信号（映像データ）と、水平方向カウンタ４のカウント値と、垂直方向カウンタ６のカウント値との理想的な関係を示す説明図である。
【００２２】
図２において、ハッチ部分は、水平同期信号や垂直同期信号などのために、映像データが黒レベル以下の値をとる位置である。図２の例の場合、垂直同期信号に係る期間は、第１フィールドでは、垂直方向カウンタ６のカウント値が「４」〜「６」でかつ水平方向カウンタ４のカウント値が「７９０〜９０９、０〜２６１」である期間と、垂直方向カウンタ６のカウント値が「４」〜「６」でかつ水平方向カウンタ４のカウント値が「３４０〜７１６」である期間であり、第２フィールドでは、垂直方向カウンタ６のカウント値が「２６６」〜「２６８」でかつ水平方向カウンタ４のカウント値が「３４０〜７１６」である期間と、垂直方向カウンタ６のカウント値が「２６７」〜「２６９」でかつ水平方向カウンタ４のカウント値が「７９０〜９０９、０〜２６１」である期間である。
【００２３】
ここで、水平方向カウンタ４のカウント値が「１９７〜１９９」の水平方向の位置に着目した場合、これら水平方向の位置の値が黒レベル以下となるのは、垂直同期信号を含む水平走査ライン（垂直方向カウンタ６のカウント値が「４」〜「６」及び「２６７」〜「２６９」の水平走査ライン）だけであり、他の水平走査ラインではこれら水平方向の位置の値は黒レベルより大きいレベルに係る値をとる。
【００２４】
また、水平方向カウンタ４のカウント値が「６４７〜６４９」の水平方向の位置に着目した場合、これら水平方向の位置の値が黒レベル以下になるのは、垂直同期信号を含む水平走査ライン（垂直方向カウンタ６のカウント値が「４」〜「６」及び「２６６」〜「２６８」の水平走査ライン）だけであり、他の水平走査ラインではこれら水平方向の位置の値は黒レベルより大きいレベルに係る値をとる。
【００２５】
この第１の実施形態は、このような水平方向カウンタ４のカウント値と、アナログ／ディジタル変換器２からのディジタル信号（映像データ）の値との関係を利用して、垂直同期タイミングの検出（言い換えると、垂直同期信号の検出）を行うこととしたものである。
【００２６】
垂直方向カウンタリセット回路７における第１の垂直同期ライン検出器１１は、水平方向カウンタ４のカウント値が「１９７」、「１９８」及び「１９９」のときに、ディジタル信号（映像データ）の値と閾値とを比較し、３個の比較結果共に、ディジタル信号（映像データ）の値が閾値以下であるという結果の場合に論理「１」をとり、３個の比較結果のうちの１個でも、ディジタル信号（映像データ）の値が閾値より大きいという結果の場合に論理「０」をとる信号を出力するものである。
【００２７】
第２の垂直同期ライン検出器２１は、第１の垂直同期ライン検出器１１と同様な処理を、水平方向カウンタ４のカウント値が「６４７」、「６４８」及び「６４９」のときに実行するものである。
【００２８】
第１の５ライン検出結果メモリ１２は、例えば、５ビットのＦＩＦＯメモリでなり、第１の垂直同期ライン検出器１１からの出力ビットを、連続する５水平走査ライン分（５ビット）だけ保持するものである。
【００２９】
第２の５ライン検出結果メモリ２２も、例えば、５ビットのＦＩＦＯメモリでなり、第２の垂直同期ライン検出器２１からの出力ビットを、連続する５水平走査ライン分（５ビット）だけ保持するものである。
【００３０】
第１の垂直同期パターン検出器１３は、第１の５ライン検出結果メモリ１２の５ビットが「０１１１０」であることを検出するものである。第１の５ライン検出結果メモリ１２の５ビットが「０１１１０」をとるときは、図２を用いて言えば、垂直方向カウンタ６のカウント値が「７」で水平方向カウンタ６のカウント値が「１９９」になったタイミングか、又は、垂直方向カウンタ６のカウント値が「２７０」で水平方向カウンタ６のカウント値が「１９９」になったタイミングかである（ここでは、処理遅延がないとして表現している）。
【００３１】
第２の垂直同期パターン検出器２３は、第２の５ライン検出結果メモリ２２の５ビットが「０１１１０」であることや「１１１００」であることを検出するものである。第２の５ライン検出結果メモリ２２の５ビットが「０１１１０」をとるときは、図２を用いて言えば、垂直方向カウンタ６のカウント値が「７」で水平方向カウンタ６のカウント値が「６４９」になったタイミングか、又は、垂直方向カウンタ６のカウント値が「２６９」で水平方向カウンタ６のカウント値が「６４９」になったタイミングかである（ここでは、処理遅延がないとして表現している）。また、第２の５ライン検出結果メモリ２２の５ビットが「１１１００」をとるときは、図２を用いて言えば、垂直方向カウンタ６のカウント値が「８」で水平方向カウンタ６のカウント値が「６４９」になったタイミングか、又は、垂直方向カウンタ６のカウント値が「２７０」で水平方向カウンタ６のカウント値が「６４９」になったタイミングかである（ここでは、処理遅延がないとして表現している）。
【００３２】
垂直同期判定器９は、第１及び第２の垂直同期パターン検出器１３及び２３の検出結果に基づいて、垂直方向カウンタ６に対するリセット指令を形成するものである。
【００３３】
（１）第１の垂直同期パターン検出器１３の検出出力が第１の５ライン検出結果メモリ１２の内容が「０１１１０」であることを表し、しかも、第２の垂直同期パターン検出器２３の検出出力が第２の５ライン検出結果メモリ２２の内容が「０１１１０」であることを表している場合には、垂直方向カウンタ６へ「７」をセットさせるリセット指令を出力する。
【００３４】
（２）第１の垂直同期パターン検出器１３の検出出力が第１の５ライン検出結果メモリ１２の内容が「０１１１０」であることを表し、しかも、第２の垂直同期パターン検出器２３の検出出力が第２の５ライン検出結果メモリ２２の内容が「１１１００」であることを表している場合には、垂直方向カウンタ６へ「２７０」をセットさせるリセット指令を出力する。
【００３５】
例えば、入力されているアナログ映像信号の信号源が切り替わって、直前の垂直同期信号と同期していないアナログ映像信号が入力されるようになったとする。
【００３６】
このような場合であっても、水平走査ライン毎に（全てのラインとは限らないが）カラーバースト信号が重畳されており、また、水平走査ライン毎に水平同期信号が挿入されているので、クロック抽出器３からのクロックは速やかに安定し、水平方向カウンタ４の同期化も速やかになされる。
【００３７】
アナログ映像信号の信号源が切り替わった直後においては、垂直方向カウンタ６のカウント値は正しいものではないが、水平方向カウンタ４の同期化が速やかになされるので、水平方向カウンタ４のカウント値は正しいものとなっている。
【００３８】
信号源が切り替わった後でも、垂直同期信号を含む水平走査ラインになると、第１や第２の垂直同期ライン検出器１１及び２１は、水平方向カウンタ４のカウント値が「１９９」や「６４９」のタイミングで論理「１」を出力する。垂直同期信号を含む３個の水平走査ラインが終わり、その次の水平走査ラインになって、水平方向カウンタ４のカウント値が「１９９」や「６４９」のタイミングでは、第１や第２の垂直同期ライン検出器１１及び２１は、論理「０」を出力する。
【００３９】
これにより、第１の５ライン検出結果メモリ１２に格納されている５ビットが「０１１１０」になり、第２の５ライン検出結果メモリ２２に格納されている５ビットが「０１１１０」又は「１１１００」になるタイミングが生じる。垂直同期判定器９は、第１及び第２の垂直同期パターン検出器１３及び２３の検出結果により、第１の５ライン検出結果メモリ１２の５ビットが「０１１１０」で第２の５ライン検出結果メモリ２２の５ビットが「０１１１０」と認識したときには、垂直方向カウンタ６に対し、カウント値を「７」にするリセット指令を発し、また、第１の５ライン検出結果メモリ１２の５ビットが「０１１１０」で第２の５ライン検出結果メモリ２２の５ビットが「１１１００」と認識したときには、垂直方向カウンタ６に対し、カウント値を「２７０」にするリセット指令を発する。
【００４０】
このリセット指令により、垂直方向カウンタ６がリセット動作し、信号源が切り替わったアナログ映像信号に対して垂直同期が確立される。
【００４１】
以上のように、第１の実施形態の垂直同期信号検出回路によれば、垂直同期信号の中央付近で判定を行い、かつ、パターン検出により、各フィールドの１水平走査ライン当たり６箇所の値で判定を行っているため、従来の方法のように積分回路によって垂直同期の立下りを検出するような方法に比べ、誤動作の少ない精度の高い、良好な垂直同期信号の検出を行うことができる。
【００４２】
（Ｂ）第２の実施形態
次に、本発明による垂直同期信号検出回路の第２の実施形態を、第１の実施形態との相違点を中心に説明する。
【００４３】
図３は、第２の実施形態に係る映像信号ディジタル化装置の構成を示すブロック図であり、上述した第１の実施形態に係る図１との同一、対応部分には同一符号を付して示している。
【００４４】
図３及び図１の比較から明らかなように、第２の実施形態の場合、第１及び第２の垂直同期パターン副検出器１４及び２４をさらに備え、垂直同期判定器９は、第１及び第２の垂直同期パターン検出器１３及び２３、並びに、第１及び第２の垂直同期パターン副検出器１４及び２４の検出出力により、垂直方向カウンタ６のリセットタイミングを判定するようになされている。
【００４５】
第２の実施形態は、入力されるアナログ映像信号が非標準信号の場合でも、垂直同期信号を検出できるようにしたものである。第１の実施形態の場合、入力アナログ映像信号にノイズや歪みが混入されていても精度良く垂直同期信号を検出できるが、検出条件が厳しいため、ＶＴＲの一時停止、早送り、巻き戻し時などに生じる非標準信号に対しては垂直同期信号の検出が行えない場合がある恐れがあり、第２の実施形態は、この点を考慮してなされたものである。
【００４６】
第１の垂直同期パターン副検出器１４は、第１の５ライン検出結果メモリ１２の５ビットが「＊１１１＊」（＊は０でも１でも良い）であることを検出するものである。第１の５ライン検出結果メモリ１２の５ビットが「＊１１１＊」をとるときは、図２を用いて言えば、垂直方向カウンタ６のカウント値が「７」で水平方向カウンタ６のカウント値が「１９９」になったタイミングか、又は、垂直方向カウンタ６のカウント値が「２７０」で水平方向カウンタ６のカウント値が「１９９」になったタイミングが一番多いであろう（ここでは、処理遅延がないとして表現している）が、非標準信号の場合、ノイズによって、数水平走査ライン分だけ上下にタイミングがずれる可能性もある。
【００４７】
第１の垂直同期パターン副検出器１４による検出条件「＊１１１＊」は、第１の垂直同期パターン検出器１３による検出条件「０１１１０」に比較すると、垂直同期信号を有する連続する３ライン（垂直方向カウンタ６のカウント値が「４」〜「６」又は「２６７」〜「２６９」）を検出し易いものである。
【００４８】
第２の垂直同期パターン副検出器２４は、同様に、第２の５ライン検出結果メモリ２２の５ビットが「＊１１１＊」（＊は０でも１でも良い）であることを検出するものである。
【００４９】
第２の実施形態の場合、垂直同期判定器９は、第１及び第２の垂直同期パターン検出器１３及び２３、並びに、第１及び第２の垂直同期パターン副検出器１４及び２４の検出出力から、リセット指令を垂直方向カウンタ６に発するか否かの以下のような判定を行う。
【００５０】
（１）第１の垂直同期パターン検出器１３の検出出力が第１の５ライン検出結果メモリ１２の内容が「０１１１０」であることを表し、かつ、第２の垂直同期パターン検出器２３の検出出力が第２の５ライン検出結果メモリ２２の内容が「０１１１０」であることを表している場合には、第１及び第２の垂直同期パターン副検出器１４及び２４の検出出力の内容に拘わらず、垂直方向カウンタ６へ「７」をセットさせるリセット指令を出力する。
【００５１】
（２）第１の垂直同期パターン検出器１３の検出出力が第１の５ライン検出結果メモリ１２の内容が「０１１１０」であることを表し、かつ、第２の垂直同期パターン検出器２３の検出出力が第２の５ライン検出結果メモリ２２の内容が「１１１００」であることを表している場合には、第１及び第２の垂直同期パターン副検出器１４及び２４の検出出力の内容に拘わらず、垂直方向カウンタ６へ「２７０」をセットさせるリセット指令を出力する。
【００５２】
上述の（１）及び（２）のリセット判定条件は、第１の実施形態の場合と同様である。（１）及び（２）のリセット判定条件が成立しない場合だけ、（３）のリセット判定条件が成立するか否か確認される。
【００５３】
（３）第１の垂直同期パターン副検出器１４の検出出力が第１の５ライン検出結果メモリ１２の内容が「＊１１１＊」であることを表し、かつ、第２の垂直同期パターン副検出器２４の検出出力が第２の５ライン検出結果メモリ２２の内容が「＊１１１＊」であることを表している場合には、第１及び第２の垂直同期パターン検出器１３及び２３の検出出力の内容に拘わらず、垂直方向カウンタ６へ「７」をセットさせるリセット指令を出力する。
【００５４】
なお、非標準信号であるための異常な垂直同期波形は、（３）のリセット判定条件が成立したと判定したほぼ１フィールド後にも出現するため、（３）のリセット判定条件の成立によりリセット指令を発した場合には、垂直同期判定器９は、その後、例えば、５００水平走査ラインの間は、このパターンマッチングによるリセットを実施しない。
【００５５】
第２の実施形態によれば、第１の実施形態の効果に加え、ＶＴＲの一時停止や早送り時などの非標準映像信号に対しても、垂直同期検出を良好に実行できるという効果を奏することができる。
【００５６】
（Ｃ）他の実施形態
上記各実施形態では、垂直同期信号部分の検出のために、水平方向に連続する３箇所（例えば、「１９７」〜「１９９」）の映像データのレベルを対象としていたが、１箇所や２箇所でも良く、４箇所以上であっても良い。
【００５７】
また、上記各実施形態では、垂直同期信号を含む連続するライン数（３ライン）の上下に垂直同期信号を含まない１ラインずつ含めた計５ラインについて、パターンマッチングを行う場合を示したが、垂直同期信号を含まないラインの数は０でも２ライン以上でも良く、上側と下側とでライン数が異なっていても良く、また、垂直同期信号を含むラインを全て対象としていなくても良い。
【００５８】
第２の実施形態においては、非標準信号を対象としたパターンマッチングでは、垂直同期信号を含む連続するラインだけを対象としたが、垂直同期信号を含まないラインを対象としても良く、また、垂直同期信号を含む一部のラインをパターンマッチングの対象としないようにしても良い。要は、垂直同期の検出条件が、主たる検出条件より緩いものであれば良い。
【００５９】
本発明は、縦横（水平方向及び垂直方向）の所定領域内の複数箇所の映像信号レベルの配置（パターン）が、垂直同期信号を含む所定領域内の配置と一致するかにより、垂直同期信号を検出していれば、その一致の判定方法は、上記各実施形態のものに限定されるものではない。
【００６０】
上記各実施形態では、アナログ映像信号が入力され、それをディジタル信号に変換したものから垂直同期検出を行うものを示したが、当初より、ディジタル映像信号が入力される装置に対しても、本発明を適用することができる。また、垂直同期検出に供する入力信号は、映像信号に限定されず、複合同期信号であっても良い。
【００６１】
なお、垂直同期信号だけを含む信号を分離抽出したい場合であれば、例えば、上記各実施形態の垂直方向カウンタ及び水平方向カウンタのカウント値が所定の組合せのときに、論理「０」をとり、その他のときに論理「１」をとる信号を生成する回路を設けるようにすれば良い。
【００６２】
上記第２の実施形態の場合、非標準信号を意図した判定条件（３）を利用するか否かを選択可能にしても良く、また、判定条件（１）及び（２）に代えて、判定条件（３）だけを適用するという選択も可能とするようにしても良い。
【００６３】
上記各実施形態では、ＮＴＳＣに代表される複合映像信号について説明したが、ＰＡＬやＳＥＣＡＭ方式の信号や、輝度信号と色差信号を別にしたコンポーネント信号での垂直同期検出においても、本発明の技術思想を適用することができ、また、モノクロ信号やノンインターレース信号での垂直同期検出においても、本発明の技術思想を適用することができる。
【図面の簡単な説明】
【００６４】
【図１】第１の実施形態の垂直同期信号検出回路を含む映像信号ディジタル化装置の構成を示すブロック図である。
【図２】第１の実施形態のアナログ／ディジタル変換器からのディジタル信号と、水平方向カウンタのカウント値と、垂直方向カウンタのカウント値との理想的な関係を示す説明図である。
【図３】第２の実施形態の垂直同期信号検出回路を含む映像信号ディジタル化装置の構成を示すブロック図である。
【符号の説明】
【００６５】
２…アナログ／ディジタル（Ａ／Ｄ）変換器、３…クロック抽出（ＣＬＫ抽出）器、４…水平方向カウンタ、５…水平方向カウンタリセット回路、６…垂直方向カウンタ、７…垂直方向カウンタリセット回路、９…垂直同期判定器、１１、２１…垂直同期ライン検出器、１２、２２…５ライン検出結果メモリ、１３、２３…垂直同期パターン検出器、１４、２４…垂直同期パターン副検出器。
【図１】
2005347805.tif 000003
【図２】
2005347805.tif 000004
【図３】
2005347805.tif 000005